【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のためのワイヤレス通信の方法であって、
前記ＵＥと第１のミリメートル波基地局（ｍｍＷ−ＢＳ）との間のビームフォーミング経路の第１の粗セットを決定することと、
ビームフォーミング経路の前記第１の粗セット内の第１のビームフォーミング経路および第２のビームフォーミング経路を選択することと、
ビームフォーミング経路の前記第１の粗セット内の前記第１のビームフォーミング経路に近いナロービームフォーミング経路の第１のセット上で受信することと、
前記第１のビームフォーミング経路とナロービームフォーミング経路の前記第１のセットとの信号品質が第１のしきい値よりも小さいとき、ビームフォーミング経路の前記第１の粗セット内の前記第２のビームフォーミング経路に近いナロービームフォーミング経路の第２のセット上で送信するように、前記第１のｍｍＷ−ＢＳに要求することと、
前記第２のビームフォーミング経路またはナロービームフォーミング経路の前記第２のセット内の１つの経路のうちの１つを通して通信することと、
前記ＵＥと第２のｍｍＷ−ＢＳとの間のビームフォーミング経路の第２の粗セットを決定することと、
前記第１のｍｍＷ−ＢＳに対応するすべての選択されたビームフォーミング経路の信号品質が第２のしきい値よりも小さいとき、ビームフォーミング経路の前記第２の粗セット内の第３のビームフォーミング経路に近いナロービームフォーミング経路の第３のセット上で送信するように、前記第２のｍｍＷ−ＢＳに要求することと、
いずれの選択されたビームフォーミング経路上でもシグナリングすることを控えるように前記第１のｍｍＷ−ＢＳに要求することと、
ナロービームフォーミング経路の前記第３のセットのうちの１つの経路を通して通信するように前記第２のｍｍＷ−ＢＳに要求することと、
を備える、方法。
【請求項２】
前記第１のビームフォーミング経路は、ビームフォーミング経路の前記第１の粗セットにおいてビームフォーミング経路の最高信号品質を有する、請求項１に記載の方法。
【請求項３】
ビームフォーミング経路の前記第２の粗セット内の少なくとも第３または第４のビームフォーミング経路を選択することをさらに備える、請求項１に記載の方法。
【請求項４】
前記第２のビームフォーミング経路またはナロービームフォーミング経路の前記第２のセット内の１つの経路のうちの１つについての少なくとも方向インデックスまたは信号強度を示すメッセージを送信することをさらに備える、請求項１に記載の方法。
【請求項５】
ワイヤレス通信のためのユーザ機器（ＵＥ）であって、
前記ＵＥと第１のミリメートル波基地局（ｍｍＷ−ＢＳ）との間のビームフォーミング経路の第１の粗セットを決定するための手段と、
ビームフォーミング経路の前記第１の粗セット内の第１のビームフォーミング経路および第２のビームフォーミング経路を選択するための手段と、
ビームフォーミング経路の前記第１の粗セット内の前記第１のビームフォーミング経路に近いナロービームフォーミング経路の第１のセット上で受信するための手段と、
前記第１のビームフォーミング経路とナロービームフォーミング経路の前記第１のセットとの信号品質が第１のしきい値よりも小さいとき、ビームフォーミング経路の前記第１の粗セット内の前記第２のビームフォーミング経路に近いナロービームフォーミング経路の第２のセット上で送信するように、前記第１のｍｍＷ−ＢＳに要求するための手段と、
前記第２のビームフォーミング経路またはナロービームフォーミング経路の前記第２のセット内の経路のうちの１つを通して通信するための手段と、
前記ＵＥと第２のｍｍＷ−ＢＳとの間のビームフォーミング経路の第２の粗セットを決定するための手段と、
前記第１のｍｍＷ−ＢＳに対応するすべての選択されたビームフォーミング経路の信号品質が第２のしきい値よりも小さいとき、ビームフォーミング経路の前記第２の粗セット内の第３のビームフォーミング経路に近いナロービームフォーミング経路の第３のセット上で送信するように、前記第２のｍｍＷ−ＢＳに要求するための手段と、
いずれの選択されたビームフォーミング経路上でもシグナリングすることを控えるように前記第１のｍｍＷ−ＢＳに要求するための手段と、
ナロービームフォーミング経路の前記第３のセットのうちの１つの経路を通して通信するように前記第２のｍｍＷ−ＢＳに要求するための手段と、
を備える、ＵＥ。
【請求項６】
前記第１のビームフォーミング経路は、ビームフォーミング経路の前記第１の粗セットにおいてビームフォーミング経路の最高信号品質を有する、請求項５に記載のＵＥ。
【請求項７】
ビームフォーミング経路の前記第２の粗セット内の少なくとも第３または第４のビームフォーミング経路を選択するための手段をさらに備える、請求項５に記載のＵＥ。
【請求項８】
前記第２のビームフォーミング経路またはナロービームフォーミング経路の前記第２のセット内の１つの経路のうちの１つについての少なくとも方向インデックスまたは信号強度を示すメッセージを送信するための手段をさらに備える、請求項５に記載のＵＥ。
【請求項９】
コンピュータ実行可能コードを記憶するコンピュータ可読媒体であって、
前記ＵＥと第１のミリメートル波基地局（ｍｍＷ−ＢＳ）との間のビームフォーミング経路の第１の粗セットを決定することと、
ビームフォーミング経路の前記第１の粗セット内の第１のビームフォーミング経路および第２のビームフォーミング経路を選択することと、
ビームフォーミング経路の前記第１の粗セット内の前記第１のビームフォーミング経路に近いナロービームフォーミング経路の第１のセット上で受信することと、
前記第１のビームフォーミング経路とナロービームフォーミング経路の前記第１のセットとの信号品質が第１のしきい値よりも小さいとき、ビームフォーミング経路の前記第１の粗セット内の前記第２のビームフォーミング経路に近いナロービームフォーミング経路の第２のセット上で送信するように、前記第１のｍｍＷ−ＢＳに要求することと、
前記第２のビームフォーミング経路またはナロービームフォーミング経路の前記第２のセット内の１つの経路のうちの１つを通して通信することと、
前記ＵＥと第２のｍｍＷ−ＢＳとの間のビームフォーミング経路の第２の粗セットを決定することと、
前記第１のｍｍＷ−ＢＳに対応するすべての選択されたビームフォーミング経路の信号品質が第２のしきい値よりも小さいとき、ビームフォーミング経路の前記第２の粗セット内の第３のビームフォーミング経路に近いナロービームフォーミング経路の第３のセット上で送信するように、前記第２のｍｍＷ−ＢＳに要求することと、
いずれの選択されたビームフォーミング経路上でもシグナリングすることを控えるように前記第１のｍｍＷ−ＢＳに要求することと、
ナロービームフォーミング経路の前記第３のセットのうちの１つの経路を通して通信するように前記第２のｍｍＷ−ＢＳに要求することと、
を行うためのコードを備える、コンピュータ可読媒体。
【請求項１０】
前記第１のビームフォーミング経路は、ビームフォーミング経路の前記第１の粗セットにおいてビームフォーミング経路の最高信号品質を有する、請求項９に記載のコンピュータ可読媒体。
【請求項１１】
ビームフォーミング経路の前記第２の粗セット内の少なくとも第３または第４のビームフォーミング経路を選択することを行うためのコードをさらに備える、請求項９に記載のコンピュータ可読媒体。
【請求項１２】
前記第２のビームフォーミング経路またはナロービームフォーミング経路の前記第２のセット内の経路のうちの１つについての少なくとも方向インデックスまたは信号強度を示すメッセージを送信することを行うためのコードをさらに備える、請求項９に記載のコンピュータ可読媒体。